(57)【要約】【課題】ユーザが入力部に対して意図的に入力操作を行うときは入力を受け付け、ユーザが入力部に対して誤操作を行うと判断したときは入力をことができる誤操作防止装置を提供する。【解決手段】誤操作防止装置は、操作状況判定部と、入力特定部と、入力無効設定部とを備える。操作状況判定部は、タッチパネルが検出した入力に基づいて、当該タッチパネルの外側方向への入力が継続される特定の操作状況であるか否かを判定する。入力特定部は、前記操作状況判定部が特定の操作状況であると判定した場合に、前記タッチパネルの外側方向への入力によって誤操作される可能性のある前記タッチパネルの外側に配置された入力部を特定する。入力無効設定部は、前記入力特定部が特定した誤操作される可能性のある前記入力部への入力を所定の時間無効にする。【選択図】図１
2015043139.tif 000002
【特許請求の範囲】
【請求項１】
タッチパネルが検出した入力に基づいて、当該タッチパネルの外側方向への入力が継続される特定の操作状況であるか否かを判定する操作状況判定部と、
前記操作状況判定部が特定の操作状況であると判定した場合に、前記タッチパネルの外側方向への入力によって誤操作される可能性のある前記タッチパネルの外側に配置された入力部を特定する入力特定部と、
前記入力特定部が特定した誤操作される可能性のある前記入力部への入力を所定の時間無効にする入力無効設定部と
を備えることを特徴とする誤操作防止装置。
【請求項２】
前記操作状況判定部は、
前記特定の操作状況であるか否かの判定として、スクロール操作であるか否かを判定する
ことを特徴とする請求項１に記載の誤操作防止装置。
【請求項３】
前記操作状況判定部は、
前記特定の操作状況であるか否かの判定として、前記タッチパネルの範囲を超える操作であるか否かを判定する
ことを特徴とする請求項１または請求項２に記載の誤操作防止装置。
【請求項４】
前記入力特定部は、
前記タッチパネルが検出した入力の履歴に基づいて、誤操作される可能性のある入力部を特定する
ことを特徴とする請求項１から請求項３の何れか一項に記載の誤操作防止装置。
【請求項５】
前記入力特定部は、
前記タッチパネルがタッチパネル上でスクロール操作入力を最後に検出した座標を基準点として、当該基準点から所定の範囲に前記入力部が配置されているか否かに基づいて、誤操作される可能性のある入力部を特定する
ことを特徴とする請求項１から請求項３の何れか一項に記載の誤操作防止装置。
【請求項６】
前記入力特定部は、
前記基準点からの距離をスクロール操作の速度と所定の時間とから計算し、当該距離を半径とする同心円で示される範囲に配置されている前記入力部を特定する
ことを特徴とする請求項５に記載の誤操作防止装置。
【請求項７】
前記入力特定部は、
前記基準点を基準とする矩形で示される範囲に配置されている前記入力部を特定する
ことを特徴とする請求項５に記載の誤操作防止装置。
【請求項８】
前記タッチパネルは、
入力操作のために操作する生体が当該タッチパネルから離れていても入力操作を検出する
ことを特徴とする請求項１から請求項７の何れか一項に記載の誤操作防止装置。
【請求項９】
タッチパネルが検出した入力に基づいて、当該タッチパネルの外側方向への入力が継続される特定の操作状況であるか否かを判定し、
特定の操作状況であると判定した場合に、前記タッチパネルの外側方向への入力によって誤操作される可能性のある前記タッチパネルの外側に配置された入力部を特定し、
特定した誤操作される可能性のある前記入力部への入力を所定の時間無効にする
ことを特徴とする誤操作防止方法。
【請求項１０】
誤操作防止装置のコンピュータを、
タッチパネルが検出した入力に基づいて、当該タッチパネルの外側方向への入力が継続される特定の操作状況であるか否かを判定する操作状況判定手段、
前記操作状況判定手段が特定の操作状況であると判定した場合に、前記タッチパネルの外側方向への入力によって誤操作される可能性のある前記タッチパネルの外側に配置された入力手段を特定する入力特定手段、
前記入力特定手段が特定した誤操作される可能性のある前記入力手段への入力を所定の時間無効にする入力無効設定手段
として機能させることを特徴とするプログラム。
【発明の詳細な説明】
【技術分野】
【０００１】
本発明は、入力を無効にする誤操作防止装置、誤操作防止方法、及びプログラムに関する。
【背景技術】
【０００２】
スマートフォンなどの携帯端末装置では、タッチパネルの機能により容易にスクロールなどの操作を行うことができる。そのような操作を行う際に、ユーザは、タッチパネルの範囲を超えてタッチパネルの近傍に配置されたハードキーに対して誤った入力操作を行ってしまう場合がある。
【０００３】
特許文献１には、誤操作の回数が所定の回数を超えると、誤操作されたハードキーを一時的に無効にする技術が記載されている。
【先行技術文献】
【特許文献】
【０００４】
【特許文献１】特開２０１１−１３８２７６号公報
【発明の概要】
【発明が解決しようとする課題】
【０００５】
しかしながら、特許文献１に記載されている技術は、所定の回数の誤操作を検出した後は、ユーザがハードキーに対して意図的に入力操作を行うか否かに関わらず、ハードキーへの入力が一時的に無効になるという問題がある。
【０００６】
そこでこの発明は、上記の課題を解決することのできる誤操作防止装置、誤操作防止方法、及びプログラムを提供することを目的としている。
【課題を解決するための手段】
【０００７】
上記目的を達成するために、本発明は、タッチパネルが検出した入力に基づいて、当該タッチパネルの外側方向への入力が継続される特定の操作状況であるか否かを判定する操作状況判定部と、前記操作状況判定部が特定の操作状況であると判定した場合に、前記タッチパネルの外側方向への入力によって誤操作される可能性のある前記タッチパネルの外側に配置された入力部を特定する入力特定部と、前記入力特定部が特定した誤操作される可能性のある前記入力部への入力を所定の時間無効にする入力無効設定部とを備えることを特徴とする誤操作防止装置である。
【０００８】
また本発明は、タッチパネルが検出した入力に基づいて、当該タッチパネルの外側方向への入力が継続される特定の操作状況であるか否かを判定し、特定の操作状況であると判定した場合に、前記タッチパネルの外側方向への入力によって誤操作される可能性のある前記タッチパネルの外側に配置された入力部を特定し、特定した誤操作される可能性のある前記入力部への入力を所定の時間無効にすることを特徴とする誤操作防止方法である。
【０００９】
また本発明は、誤操作防止装置のコンピュータを、タッチパネルが検出した入力に基づいて、当該タッチパネルの外側方向への入力が継続される特定の操作状況であるか否かを判定する操作状況判定手段、前記操作状況判定手段が特定の操作状況であると判定した場合に、前記タッチパネルの外側方向への入力によって誤操作される可能性のある前記タッチパネルの外側に配置された入力手段を特定する入力特定手段、前記入力特定手段が特定した誤操作される可能性のある前記入力手段への入力を所定の時間無効にする入力無効設定手段として機能させることを特徴とするプログラムである。
【発明の効果】
【００１０】
本発明によれば、ユーザが入力部に対して意図的に入力操作を行うときは入力を受け付け、ユーザが入力部に対して誤操作を行うと判断したときは入力をことができる。
【図面の簡単な説明】
【００１１】
【図１】本発明の誤操作防止装置１０の最小構成を示す図である。
【図２】本発明の第一の実施形態による誤操作防止装置１０の構成を示す図である。
【図３】本発明の第一の実施形態による誤操作防止装置１０を備える携帯端末装置１の外観の例を示す図である。
【図４】ユーザが本発明の第一の実施形態による携帯端末装置１のタッチパネル１０４に対して入力操作した際の操作履歴と操作予測の例を示す図である。
【図５】第一の実施形態による誤操作防止装置１０を備える携帯端末装置１の処理フローの例を示す図である。
【図６】ユーザが本発明の第二の実施形態による携帯端末装置１のタッチパネル１０４に対して入力操作した際の操作履歴と操作予測の例を示す図である。
【図７】第二の実施形態による誤操作防止装置１０を備える携帯端末装置１の処理フローの例を示す図である。
【発明を実施するための形態】
【００１２】
図１は、本発明の誤操作防止装置１０の最小構成を示す図である。
本発明の誤操作防止装置１０は、図１で示すように、少なくとも、操作状況判定部１０１と、入力特定部１０２と、入力無効設定部１０３とを備える。
ここで、操作状況判定部１０１は、タッチパネルが検出した入力に基づいて、当該タッチパネルの外側方向への入力が継続される特定の操作状況であるか否かを判定する機能部である。
入力特定部１０２は、操作状況判定部１０１が特定の操作状況であると判定した場合に、タッチパネルの外側方向への入力によって誤操作される可能性のあるタッチパネルの外側に配置された入力部を特定する機能部である。
入力無効設定部１０３は、入力特定部１０２が特定した誤操作される可能性のある入力部への入力を所定の時間無効にする機能部である。
この操作状況判定部１０１と、入力特定部１０２と、入力無効設定部１０３は、制御部（例えばＣＰＵ、Ｃｅｎｔｒａｌ  Ｐｒｏｃｃｅｓｓｉｎｇ  Ｕｎｉｔ）がプログラムを実行することにより、誤操作防止装置１０に構成される。
【００１３】
＜第一の実施形態＞
図２は、本発明の第一の実施形態による誤操作防止装置１０の構成を示す図である。
図２で示すように、第一の実施形態による誤操作防止装置１０は、図１で示した誤操作防止装置１０の最小構成を示す機能に加え、さらにタッチパネル１０４と、入力部１０５と、記憶部１０６とを備える。
ここで、タッチパネル１０４は、例えばスマートフォンなどで使用されている静電容量方式のパネルであり、スクロール操作による入力を検出する機能部である。なお、タッチパネル１０４は、指などのタッチを検出するパネルであってもよいし、指がタッチパネル１０４から離れていても検出できる、すなわち、ホバー入力を検出できるパネルであってもよい。
入力部１０５は、例えばスマートフォンなどで使用されているハードキーであり、入力を検出する機能部である。
記憶部１０６は、誤操作防止装置１０におけるプログラムや種々のデータを記憶する記憶部である。
【００１４】
図３は、本発明の第一の実施形態による誤操作防止装置１０を備える携帯端末装置１の外観の例を示す図である。
この図３で示される携帯端末装置１には、スクロール操作による入力を検出するタッチパネル１０４を備えている。
また、タッチパネル１０４に近接して入力部１０５としてハードキー１０５ａ、１０５ｂ、１０５ｃ、１０５ｄを備えている。
【００１５】
図４は、ユーザが本発明の第一の実施形態による携帯端末装置１のタッチパネル１０４に対して入力操作した際の操作履歴と操作予測の例を示す図である。
操作履歴は、ユーザの入力操作がＡ点から開始しＢ点でタッチパネル１０４の範囲を超えるスクロール操作を所定時間毎にサンプリングして記憶部１０６に記録したタッチパネル１０４上の座標である。なお、ユーザがスクロール操作を行う時間は短いが、サンプリングはそれよりも短い時間で行うものとする。
操作状況判定部１０１は、この操作履歴に基づいて、ユーザの入力操作がスクロール操作であるか否かを判定する。また、操作状況判定部１０１は、この操作履歴に基づいて、ユーザの入力操作がタッチパネル１０４の範囲を超える入力操作であるか否かを判定する。
また、操作予測は、ユーザの入力操作がタッチパネル１０４の範囲を超える入力操作であると操作状況判定部１０１が判定した場合に、誤操作される可能性のある入力部１０５を特定するために操作履歴に基づいて入力特定部１０２が演算する入力操作の予測である。入力特定部１０２が操作予測として演算した結果が図４の破線で示した部分であった場合、入力特定部１０２は、誤操作される可能性がある入力部として入力部１０５ａと入力部１０５ｂを特定する。
【００１６】
図５は、第一の実施形態による誤操作防止装置１０を備える携帯端末装置１の処理フローの例を示す図である。
次に、本実施形態による誤操作防止装置１０を備える携帯端末装置１の処理フローを説明する。図５で示す誤操作防止装置１０の処理フローは、ユーザが図４で示した入力操作を行った場合の例である。
【００１７】
まず、ユーザは、携帯端末装置１の所望の機能を利用するために、タッチパネル１０４に対して入力操作を行う。タッチパネル１０４が例えば静電容量方式のパネルである場合、ユーザがタッチパネル１０４に対して入力操作を行った箇所の周辺の静電容量値が変化する。操作状況判定部１０１は、ユーザがタッチパネル１０４に対して入力操作を行った箇所をタッチパネル１０４上の座標とし、所定時間毎にその座標をサンプリングする。そして、操作状況判定部１０１は、そのユーザによる入力操作がスクロール操作か否かを判定する（ステップＳ１）。ここで操作状況判定部１０１が行う判定は、例えば所定回数のサンプリングのタイミング全てでタッチパネル１０４への入力が継続された場合にスクロール操作が行われたと判定する判定である。
【００１８】
スクロール操作が行われていないと操作状況判定部１０１が判定した場合、操作状況判定部１０１は、再度スクロール操作が行われたか否かを判定する。また、スクロール操作が行われたと操作状況判定部１０１が判定した場合、操作状況判定部１０１は、スクロール操作入力、すなわち、サンプリングのタイミングを示す時刻とその時刻に検出したタッチパネル１０４上の座標の保存を開始する（ステップＳ２）。
【００１９】
また、操作状況判定部１０１は、所定時間毎のスクロール操作が行われたタッチパネル１０４上の座標の保存を開始すると、タッチパネル１０４上の座標を検出しているか否かに基づいて、スクロール操作がタッチパネル１０４の範囲内で行われているか否かを判定する（ステップＳ３）。
ここで、操作状況判定部１０１がタッチパネル１０４上の座標を検出し、スクロール操作がタッチパネル１０４の範囲内で行われている（ステップＳ３、ＹＥＳ）と判定した場合、ステップＳ２の処理へ戻り、操作状況判定部１０１は、スクロール操作入力の保存を行う。
また、操作状況判定部１０１がタッチパネル１０４上の座標を検出せず、スクロール操作がタッチパネル１０４の範囲内で行われていない（ステップＳ３、ＮＯ）と判定した場合、入力特定部１０２は、記憶部１０６に記録されているサンプリングのタイミングを示す時刻とその時刻に検出したタッチパネル１０４上の座標に基づいて、スクロール操作の速度変化と方向の変化から関数を導出する。そして、入力特定部１０２は、入力部１０５の座標範囲と導いた関数とが交差するか否かに基づいて、直後にスクロール操作入力が行われる入力部１０５（実施形態ではハードキー）であるか否かを判定する（ステップＳ４）。例えば、図４で示すように、タッチパネル１０４の左下を原点Ｏ、横軸をｘ、縦軸をｙとする。その場合、入力特定部１０２は、Ａ点からＢ点までの記憶部１０６に記録された所定時間毎の座標（ｘ，ｙ）に基づいてＡ点からＢ点までのスクロール操作を示す関数ｙ＝ｆ（ｘ）を導出する。そして、入力特定部１０２は、この関数を入力部１０５側に外挿し、その外挿した線分が入力部１０５と交差する場合にスクロール操作入力が行われる入力部１０５であると判定すればよい。なお、ｆ（ｘ）は、ｘの高次の多項式であり、必要な精度に応じて次数を限定すればよい。また、入力特定部１０２は、タッチパネル１０４上でスクロール操作入力を最後に検出したタイミングではなく、タッチパネル１０４の内側にある範囲を設定する。そして、入力特定部１０２は、スクロール操作入力がその範囲の外側に対して行われたタイミングで関数を求め、その関数を外挿した線分が交差する入力部１０５を判定してもよい。
また、入力特定部１０２は、タッチパネル１０４がタッチパネル１０４上でスクロール操作入力を最後に検出した座標とスクロール操作の速度に基づいて、入力部１０５への入力を無効にする無効時間を計算し予測する（ステップＳ４）。例えば、入力特定部１０２が、スクロール操作の速度が所定のしきい値以下であると計算した場合、スクロール操作の速度が遅く入力部１０５の手前でスクロール操作が終了すると予測する。その場合、入力部１０５に対してスクロール操作入力が行われないため、入力特定部１０２は無効時間＝０（ステップＳ５、ＮＯ）と予測する。そして、ステップＳ１の処理に戻る。
また、例えば入力特定部１０２が、スクロール操作の速度が速く所定のしきい値を超えると計算した場合、入力部１０５に対してスクロール操作が行われると予測する。その場合、入力特定部１０２は無効時間＞０であると予測する（ステップＳ５、ＹＥＳ）。そして、入力特定部１０２は、入力部１０５に対してスクロール操作が行われる時間を算出する。例えば、入力特定部１０２は、スクロール操作の速度から入力部１０５へのスクロール操作入力が完了する時間、すなわち、指によるスクロール操作入力である場合、指が入力部１０５を通過し終わる時間を算出する（ステップＳ６）。
【００２０】
入力特定部１０２が入力部１０５に対してスクロール操作が完了する時間を算出すると、入力無効設定部１０３は、入力特定部１０２が予測したスクロール操作が完了する時間よりも長い時間を入力部１０５の無効時間として設定する。そして、入力無効設定部１０３は、タイマーを無効時間に設定し、タイマーのカウントダウンを開始する（ステップＳ７）。
【００２１】
タイマーが０でない場合（ステップＳ８、ＮＯ）、ステップＳ８の処理を繰り返す。
その後、タイマーが０になると（ステップＳ８、ＹＥＳ）、入力無効設定部１０３は、入力部１０５への入力を有効に設定する（ステップＳ９）。
そして、携帯端末装置１がユーザから入力操作終了の入力をされる場合（ステップＳ１０、ＹＥＳ）、携帯端末装置１の処理機能が終了する。
また、携帯端末装置１がユーザから入力操作終了の入力をされない場合（ステップＳ１０、ＮＯ）、ステップＳ１の処理へ戻り、一連の処理を繰り返す。
なお、携帯端末装置１がユーザから入力操作終了の入力をされるタイミングはステップＳ１０に限定するものではなく、処理フローにおいて常に入力される可能性があり、それに応じて一連の処理を終了するものであってもよい。
【００２２】
以上、本発明の第一の実施形態による誤操作防止装置１０を備える携帯端末装置１の処理フローについて説明したが、第一の実施形態による誤操作防止装置１０の処理により、タッチパネル１０４が検出した入力に基づいて、特定の操作状況であるか否かを判定し、特定の操作状況であると判定した場合に、誤操作される可能性のある入力部１０５を特定し、特定した誤操作される可能性のある入力部１０５への入力を所定の時間無効にする。こうすることで、ユーザが入力部１０５に対して意図的に入力操作を行うときは入力を受け付け、ユーザが入力部１０５に対して誤操作を行うと判断したときは入力をことができる。
【００２３】
＜第二の実施形態＞
図６は、ユーザが本発明の第二の実施形態による携帯端末装置１のタッチパネル１０４に対して入力操作した際の操作履歴と操作予測の例を示す図である。
本発明の第二の実施形態による誤操作防止装置１０を備える携帯端末装置１について説明する。
第二の実施形態による誤操作防止装置１０は、図２で示した第一の実施形態による誤操作防止装置１０と同様の構成であり、入力特定部１０２の機能が異なる。
ここで、入力特定部１０２は、タッチパネル１０４がタッチパネル１０４上でスクロール操作入力を最後に検出した座標を基準点として、その基準点からの距離をスクロール操作の速度と所定の時間とから計算し、当該距離を半径とする同心円で示される範囲に配置されている入力部１０５を特定する機能部である。
【００２４】
図７は、第二の実施形態による誤操作防止装置１０を備える携帯端末装置１の処理フローの例を示す図である。
次に、第二の実施形態による誤操作防止装置１０を備える携帯端末装置１の処理フローを説明する。
なお、第二の実施形態による誤操作防止装置１０を備える携帯端末装置１の処理フローは、第一の実施形態による誤操作防止装置１０を備える携帯端末装置１の処理フローとステップＳ１１〜ステップＳ１３の処理が異なることを除き同一である。そのため、ここではステップＳ１１〜ステップＳ１３の処理についてのみ説明する。
【００２５】
操作状況判定部１０１がタッチパネル１０４上の座標を検出せず、スクロール操作がタッチパネル１０４の範囲内で行われていない（ステップＳ３、ＮＯ）と判定した場合、入力特定部１０２は、記憶部１０６に記録されているサンプリングのタイミングを示す時刻とその時刻に検出したタッチパネル１０４上の座標に基づいて、スクロール操作の速度変化を計算する。そして、入力特定部１０２は、計算したスクロール操作の速度変化に基づいて、記憶部１０６に記録されているタッチパネル１０４上でスクロール操作入力を最後に検出した座標からの距離をスクロール操作の速度と所定の時間から計算する。そして、入力特定部１０２は、計算した距離を半径とする同心円の範囲に配置されている入力部１０５を特定する（ステップＳ１１）。例えば、入力特定部１０２は、スクロール操作の速度が速ければ、慣性の法則により指の移動距離が長くなるため、距離が長くなるように計算し、スクロール操作の速度が遅ければ距離が短くなるように計算する。そして、入力特定部１０２は、その距離を半径とする同心円の範囲に配置されている入力部１０５を特定する。
【００２６】
入力特定部１０２は、タッチパネル１０４上でスクロール操作入力を最後に検出した座標を中心とする同心円の範囲に配置されている入力部１０５が存在しないと予測した場合、入力部１０５に対してスクロール操作入力が行われないため、無効時間＝０（ステップＳ１２、ＮＯ）と予測なる。そして、ステップＳ１の処理に戻る。
また、入力特定部１０２は、タッチパネル１０４上でスクロール操作入力を最後に検出した座標を中心とする同心円の範囲に配置されている入力部１０５が存在すると予測した場合、無効時間＞０であると予測する（ステップＳ１２、ＹＥＳ）。このとき、入力特定部１０２は、同心円の範囲を複数設定してもよい。
【００２７】
入力特定部１０２が無効時間＞０であると予測すると、入力無効設定部１０３は、タッチパネル１０４上でスクロール操作入力を最後に検出した座標からの距離に応じた無効時間を設定する（ステップＳ１３）。例えば、入力無効設定部１０３は、予め記憶部１０６に距離と無効時間の関係をデータテーブルとして記録し、そのデータテーブルに基づいて無効時間を設定すればよい。
なお、入力特定部１０２は、タッチパネル１０４上でスクロール操作入力を最後に検出した座標からの距離をスクロール操作の速度と所定の時間から計算した任意の範囲に配置されている入力部１０５を特定してもよい。例えば、入力特定部１０２は、タッチパネル１０４上でスクロール操作入力を最後に検出した座標を中心とし、図４で示したｘ軸とｙ軸とに平行な辺を持つ矩形で示される範囲に配置されている入力部１０５を特定してもよい。
【００２８】
以上、本発明の第二の実施形態による誤操作防止装置１０を備える携帯端末装置１の処理フローについて説明したが、第二の実施形態による誤操作防止装置１０の処理により、タッチパネル１０４が検出した入力に基づいて、特定の操作状況であるか否かを判定し、特定の操作状況であると判定した場合に、誤操作される可能性のある入力部１０５を特定し、特定した誤操作される可能性のある入力部１０５への入力を所定の時間無効にする。こうすることで、ユーザが入力部１０５に対して意図的に入力操作を行うときは入力を受け付け、ユーザが入力部１０５に対して誤操作を行うと判断したときは入力をことができる。
【００２９】
なお、タッチパネル１０４および入力部１０５は、静電容量方式に限定する必要は無く、二重構造の透明電極から成るマトリクススイッチ方式であってもよい。また、タッチパネル１０４および入力部１０５は、二枚の抵抗膜の一枚に電圧を印加し、他方の対抵抗膜において操作した位置に応じた電圧を検知する抵抗膜方式であってもよい。また、ハードキーは、小型タッチパネルで代用してもよい。
【００３０】
なお本発明の実施形態について説明したが、上述の誤操作防止装置１０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３２】
１・・・携帯端末装置
１０・・・誤操作防止装置
１０１・・・操作状況判定部
１０２・・・入力特定部
１０３・・・入力無効設定部
１０４・・・タッチパネル
１０５、１０５ａ、１０５ｂ、１０５ｃ、１０５ｄ・・・入力部
１０６・・・記憶部
【図１】
2015043139.tif 000003
【図２】
2015043139.tif 000004
【図３】
2015043139.tif 000005
【図４】
2015043139.tif 000006
【図５】
2015043139.tif 000007
【図６】
2015043139.tif 000008
【図７】
2015043139.tif 000009